(57)【要約】【課題】  求める人のみに広告の詳細な情報を確実且つ効率的に提供するための広告配信受付装置を提供する。【解決手段】  ポスター台２の裏面に非接触型のＩＣカードリーダ４を取り付け、広告面に同広告の詳細を希望する利用者に対してカード識別番号の情報が格納されたＩＣカード６を前記ＩＣカードリーダ４の読み取り位置に接触することを指示する指示文３ｂを表記し、同ＩＣカードリーダ４で読み取ったカード識別番号から利用者の配信先情報を検索するシステムへカード識別番号を送信できるようにしている。従って、ＩＣカード６を接触させた利用者は広告の詳細情報の配信を承諾したことになるから、配信を受けた人は不快感を伴うことがなく、広告主も情報を確実且つ効率的に提供できるようになる。【選択図】          図１ 
0003101951.tif 000002
【実用新案登録請求の範囲】
【請求項１】
シート状又はボード状の広告媒体の裏面又は近接位置に非接触型のＩＣカードリーダを取り付け、広告媒体の広告面又はその周辺面に同広告の詳細を希望する利用者に対してカード識別番号の情報が格納されたＩＣカードリーダの読み取り位置に接触することを指示する表記をし、同ＩＣカードリーダで取得したカード識別番号から広告の詳細配信を承諾した利用者の配信先情報を検索して配信する広告配信システムへカード識別番号を送信できるようにしたことを特徴とする広告配信受付装置。
【請求項２】
広告媒体の広告面に複数の異なる広告を表記し、各広告の配信要求を選択できるスイッチを設けた請求項１記載の広告配信受付装置。
【請求項３】
広告媒体の広告面又はその周辺面に求める広告の詳細度に応じて複数用意した形態の広告情報を選択できるスイッチを設けた請求項１又は２記載の広告配信受付装置。
【請求項４】
広告媒体の広告面又はその周辺面に利用者の個人情報を広告主に開示することを承諾又は個人情報を広告主に渡さないで広告情報を入手できるようにする意志表示を選択できるスイッチを設けた請求項１〜３いずれか記載の広告配信受付装置。
【請求項５】
広告媒体の広告面又はその周辺面に予め利用者が登録しておいた複数の異なる配信先又は配信手段を選択できるスイッチを設けた請求項１〜４いずれか記載の広告配信受付装置。
【請求項６】
広告媒体に自動音声や音楽を流すスピーカーを設けた請求項１〜５いずれか記載の広告配信受付装置。
【請求項７】
ＩＣカードリーダの読み取り位置にＩＣカードを接触することを指示する表記が、読み取り位置を示す枠線とその近辺に指示の文章を並記したものである請求項１〜６いずれか記載の広告配信受付装置。
【請求項８】
広告媒体の広告面又はその周辺面に非接触型のＩＣカードを用いた広告配信システムの利用方法及び同ＩＣカードの発行手続の案内を示す文章を表記した請求項１〜７いずれか記載の広告配信受付装置。
【請求項９】
広告媒体の広告識別番号を広告配信システムへ送信する送信器を備えた請求項１〜８いずれか記載の広告配信受付装置。
【考案の詳細な説明】
【技術分野】
【０００１】
本考案は広告媒体に関し、詳しくはその広告を見て詳細を希望する利用者からの詳細情報の配信要求を受け付ける広告配信受付装置に関する。
【背景技術】
【０００２】
従来、広告媒体としてはテレビやラジオによる放送が主体である。近年ではインターネットの普及に伴い、サイト上に広告バナーや広告のポップアップウィンドウを表示したり電子メールで広告を配信することも行なわれている。
【０００３】
ところで、前記広告は不特定多数の人を対象としたもので、特定の人が求める詳細な情報を提供しているものではない。また、詳細情報を一律に提供するのは無駄であり効率的ではない。さらに、これらの広告は広告主が一方的に送り付けているいわゆる未承諾広告であり、見る人にとっては不快感を伴う場合がある。
【特許文献１】特開２００１−５８７１号公報
【特許文献２】特開２００１−３３８２７１号公報
【考案の開示】
【考案が解決しようとする課題】
【０００４】
本考案が解決しようとする課題は、従来のこれらの問題点を解消し、求める人のみに広告の詳細な情報を確実且つ効率的に提供するための広告配信受付装置を提供することにある。
【課題を解決するための手段】
【０００５】
かかる課題を解決した本考案の構成は、
１）  シート状又はボード状の広告媒体の裏面又は近接位置に非接触型のＩＣカードリーダを取り付け、広告媒体の広告面又はその周辺面に同広告の詳細を希望する利用者に対してカード識別番号の情報が格納されたＩＣカードリーダの読み取り位置に接触することを指示する表記をし、同ＩＣカードリーダで取得したカード識別番号から広告の詳細配信を承諾した利用者の配信先情報を検索して配信する広告配信システムへカード識別番号を送信できるようにしたことを特徴とする広告配信受付装置
２）  広告媒体の広告面に複数の異なる広告を表記し、各広告の配信要求を選択できるスイッチを設けた前記１）記載の広告配信受付装置
３）  広告媒体の広告面又はその周辺面に求める広告の詳細度に応じて複数用意した形態の広告情報を選択できるスイッチを設けた前記１）又は２）記載の広告配信受付装置
４）  広告媒体の広告面又はその周辺面に利用者の個人情報を広告主に開示することを承諾又は個人情報を広告主に渡さないで広告情報を入手できるようにする意志表示を選択できるスイッチを設けた前記１）〜３）いずれか記載の広告配信受付装置
５）  広告媒体の広告面又はその周辺面に予め利用者が登録しておいた複数の異なる配信先又は配信手段を選択できるスイッチを設けた前記１）〜４）いずれか記載の広告配信受付装置
６）  広告媒体に自動音声や音楽を流すスピーカーを設けた前記１）〜５）いずれか記載の広告配信受付装置
７）  ＩＣカードリーダの読み取り位置にＩＣカードを接触することを指示する表記が、読み取り位置を示す枠線とその近辺に指示の文章を並記したものである前記１）〜６）いずれか記載の広告配信受付装置
８）  広告媒体の広告面又はその周辺面に非接触型のＩＣカードを用いた広告配信システムの利用方法及び同ＩＣカードの発行手続の案内を示す文章を表記した前記１）〜７）いずれか記載の広告配信受付装置
９）  広告媒体の広告識別番号を広告配信システムへ送信する送信器を備えた前記１）〜８）いずれか記載の広告配信受付装置
にある。
【考案の効果】
【０００６】
本考案によれば、ＩＣカードを接触させた利用者は広告の詳細情報の配信を承諾したことになるから、配信を受けた人は不快感を伴うことなく希望する広告情報のみを受け取ることができ、広告主も求める人に対して情報を確実且つ効率的に提供することができる。また、実際に興味を持った利用者のみへ配信するから、従来の一方的な広告配信と比較してレスポンス率が高い。また、個人情報を開示することを選択した利用者を自社の会員とすることができ、この広告以外の他の情報やクーポンなどの配信ができて大きなメリットがある。
【考案を実施するための最良の形態】
【０００７】
本考案の広告媒体は、非接触型のＩＣカードとＩＣカードリーダ間を送受信する信号が透過できる厚さ５ｍｍ以内のボード状物やシート状物のもので、表面側の広告面は広告のポスターを任意のものに張り替え可能とし、広告面にはＩＣカードリーダの位置を示す枠線などを表記して接触面を認識させ易いようにする。
【０００８】
ＩＣカードリーダは市販されているものが用いられ、ＲＳ−２３２ＣやＵＳＢ等の有線又は無線によりコンピュータと接続して信号を送信できるようにし、広告媒体の裏面にネジや両面粘着テープ等で脱着可能に取り付けられる。ＩＣカードは不揮発性のメモリを備えたもので、同メモリに所持者のカード識別番号が記憶される。以下、本考案の実施例を図面に基づいて具体的に説明する。
【実施例１】
【０００９】
図１は実施例の広告配信システムの概念図、図２は実施例の広告配信受付装置の正面図、図３は実施例の広告配信受付装置の広告ポスターを取り外した状態の説明図、図４は実施例の広告配信受付装置の背面図、図５は実施例の広告配信受付装置の側面図である。
【００１０】
図中、１は広告配信受付装置、２はポスター台、３は広告ポスター、３ａは枠線、３ｂは指示文、３ｃは案内文、３ｄは選択タッチ部、３ｅは薄型スイッチ、３ｆは配線、３ｇは配線穴、３ｈは薄型スピーカー、４はＩＣカードリーダ、４ａは電源コード、４ｂはＵＳＢケーブル、４ｃは取付ビス、５はコントロール装置、５ａはメモリーカード、５ｂは取付ビス、５ｃは接続コネクタ、６はＩＣカード、６ａは管理コンピュータ、７はパーソナルコンピュータ、８は携帯電話機、９はＦＡＸ、１０はプリンタ、１１は郵便物、１２はＩＣカードライタである。
【００１１】
本実施例の広告配信受付装置１は、図２〜５に示すように縦横の寸法が４０ｃｍ×３０ｃｍで厚さ３ｍｍのポスター台２の表面にＩＣカードリーダ４の読み取り位置を示す枠線３ａとその枠線３ａ内へのＩＣカードの接触を指示する指示文３ｂと広告配信システムの利用方法及びＩＣカードの発行手続等についての案内文３ｃと求める広告情報や受け取る情報の形態，その配信手段，広告主への個人情報の送信の承諾又は広告主への個人情報送信拒否などを選択できる選択タッチ部３ｄが表記された広告ポスター３を張り替え可能に取り付けている。
【００１２】
ポスター台２の表面には、広告ポスター３の選択タッチ部３ｄに対応する位置にタッチを検出する薄型スイッチ３ｅと薄型スピーカー３ｈを取り付け、ポスター台２の裏面の前記枠線３ａの位置には非接触型のＩＣカードリーダ４（商品名：ＲＣ−Ｓ３１０，ソニー株式会社製等）をその読み取り面が広告ポスター３側に向くように取付ビス４ｃで取り付け、メモリーカード５ａに格納された自動音声やＢＧＭ等を再生する薄型スピーカー３ｈとＩＣカードリーダ４と各薄型スイッチ３ｅを制御するコントロール装置５を取付ビス５ｂで取り付けている。
【００１３】
この広告配信受付装置１を例えば駅や街頭の所定位置に配置し、そのコントロール装置５を図１に示すように広告の詳細情報（ＣＤ−ＲＯＭやＤＶＤ−ＲＯＭ等の記録媒体）及び利用者のデータベースが格納された管理コンピュータ６ａと接続して広告配信システムを構築する。広告配信受付装置１を複数配置する場合は、取り付けたコントロール装置５に有する個別のＩＤと記録媒体内の複数の広告の詳細情報とを関連付ける。また、管理コンピュータ６ａには電子メールプログラムが組み込まれ、ＦＡＸ９やプリンタ１０が接続されている。
【００１４】
ＩＣカード６は利用者が所望のサービスを受けるために広告主と提携するカード発行機関で加入手続きして発行され、ＩＣカードライタ１２（商品名：ＲＣ−Ｊ１Ｃ，ソニー株式会社製等）でＩＣカード６のメモリ内にカード識別番号が書き込まれるとともに、その利用者の個人情報（カード識別番号，電子メールアドレス，ＦＡＸ番号，住所等）が管理コンピュータ６ａに格納されてデータベースが構築される。
【００１５】
本実施例では、図１に示すようにＩＣカード６を所持する利用者が広告配信受付装置１の広告を見て詳細な情報を希望する場合、指示文３ｂに従いＩＣカード６を枠線３ａに囲まれた部分に１回タッチする。この際、利用者は選択タッチ部３ｄでカテゴリーや欲しい情報の形態，配信先又はその手段，広告主への個人情報を送信承諾又は広告主への個人情報送信拒否などを選択しておく。コントロール装置５はＩＣカードリーダ４でＩＣカード６の接触を検出し、ＩＣカード６のメモリ内に記憶されているカード識別番号を瞬時に読み出して前記選択タッチ部３ｄの選択情報とともに管理コンピュータ６ａに送信する。
【００１６】
管理コンピュータ６ａは取得したカード識別番号からデータベース内の利用者の個人情報を検索し、前記選択情報に従って電子メールアドレスを電子メールプログラムの送信先に設定して求める形態の広告の詳細情報を付して配信するか又はＦＡＸ送信又はプリンタ１０で出力して郵送し、利用者は所有するパーソナルコンピュータ７又は携行する携帯電話機８又はＦＡＸ９で受信、あるいは郵便物１１を受け取り、詳細情報を見る。
【００１７】
本実施例はこのように構成したから、ＩＣカード６を接触させた利用者は広告の詳細情報の配信を承諾したことになるから、配信を受けた人は不快感を伴うことなく希望する広告情報のみを受け取ることができ、広告主も情報を確実且つ効率的に提供してレスポンス率の向上を図ることができるようになる。また、個人情報を開示することを選択した利用者を自社の会員とすることができ、この広告以外の他の情報やクーポンなどの配信ができて大きなメリットがある。
【産業上の利用可能性】
【００１８】
本考案の広告配信受付装置は、各種の商品，サービス，観光地，ホテル，飲食店，イベントその他様々な広告宣伝に応用でき、駅構内，街頭，店舗，イベント会場等に配置して利用される。
【図面の簡単な説明】
【００１９】
【図１】実施例の広告配信システムの概念図である。
【図２】実施例の広告配信受付装置の正面図である。
【図３】実施例の広告配信受付装置の広告ポスターを取り外した状態の説明図である。
【図４】実施例の広告配信受付装置の背面図である。
【図５】実施例の広告配信受付装置の側面図である。
【符号の説明】
【００２０】
１  広告配信受付装置
２  ポスター台
３  広告ポスター
３ａ  枠線
３ｂ  指示文
３ｃ  案内文
３ｄ  選択タッチ部
３ｅ  薄型スイッチ
３ｆ  配線
３ｇ  配線穴
３ｈ  薄型スピーカー
４  ＩＣカードリーダ
４ａ  電源コード
４ｂ  ＵＳＢケーブル
４ｃ  取付ビス
４ｄ  ＩＤ記憶部
５  コントロール装置
５ａ  メモリーカード
５ｂ  取付ビス
５ｃ  接続コネクタ
６  ＩＣカード
６ａ  管理コンピュータ
６  ＩＣカード
７  パーソナルコンピュータ
８  携帯電話機
９  ＦＡＸ
１０  プリンタ
１１  郵便物
１２  ＩＣカードライタ
【図１】
0003101951.tif 000003
【図２】
0003101951.tif 000004
【図３】
0003101951.tif 000005
【図４】
0003101951.tif 000006
【図５】
0003101951.tif 000007